(57)【特許請求の範囲】
【請求項１】
互いに重畳して敷設される複数の通信システムを選択的に切り替えて通信を行う無線端末装置であって、
第１の通信システムに位置登録されている状態で所定の通信が生じて、前記第１の通信システムから第２の通信システムへ前記所定の通信が転送される際、転送指示の信号を前記第１の通信システムにて受信する指示受信部と、
前記指示受信部により前記転送指示の信号が受信された場合、前記第２の通信システムを捕捉し、当該第２の通信システムによって、前記転送指示された前記所定の通信の開始を要求する通信要求部と、
前記所定の通信の開始を要求した後、前記所定の通信の開始の要求に対する許可信号を前記第２の通信システムにて受信すると、当該所定の通信を前記第２の通信システムで行う通信処理部と、
前記所定の通信の開始を要求した後、前記許可信号を前記第２の通信システムにて受信できなかった場合、当該許可信号を受信できなかったときの前記第２の通信システムにおける通信エリア区分の情報と、前記転送指示の信号を受信したときの前記第１の通信システムにおける通信エリア区分の情報との組合せを記憶する記憶部と、を備え、
前記通信要求部は、前記指示受信部により新たな転送指示の信号を前記第１の通信システムにて受信して新たに前記第２の通信システムを捕捉したときの前記第２の通信システムにおける通信エリア区分の情報と、前記新たな転送指示の信号を受信したときの前記第１の通信システムにおける通信エリア区分の情報との組合せが、前記記憶部に記憶されている組合せに一致した場合、新たに捕捉した第２の通信システムの通信エリア区分において新たに位置登録を行った後、当該第２の通信システムへ前記転送指示された通信の開始を要求する無線端末装置。
【請求項２】
前記所定の通信は、前記第１の通信システムにおいてサポートされておらず、前記第２の通信システムにおいてサポートされている種類の通信である請求項１に記載の無線端末装置。
【請求項３】
前記第１の通信システムは、ＬＴＥ方式であり、前記第２の通信システムは、ＣＤＭＡ方式であって、
前記所定の通信に関する転送指示は、３ＧＰＰ  ＴＳ  ２３．２７２において規定されるＣＳ−Ｆａｌｌｂａｃｋ機能に準拠している請求項１又は請求項２に記載の無線端末装置。
【請求項４】
前記所定の通信は、音声着信あるいはＳＭＳ着信の通知に基づく通信である請求項３に記載の無線端末装置。
【請求項５】
前記所定の通信は、音声発信あるいはＳＭＳ発信の要求に基づく通信である請求項３に記載の無線端末装置。
【請求項６】
前記指示受信部は、前記第１の通信システムと前記第２の通信システムとのそれぞれの通信エリア区分同士の重畳関係を把握している前記第１の通信システムの制御装置から、前記転送指示の信号を受信する請求項１から請求項５のいずれか１項に記載の無線端末装置。
【請求項７】
前記記憶部に記憶される組合せを、外部のサーバから取得する取得部を備える請求項１から請求項６のいずれか１項に記載の無線端末装置。
【請求項８】
前記記憶部に記憶された組合せを、前記サーバへ送信する送信部を備える請求項７に記載の無線端末装置。
【請求項９】
前記第１の通信システム及び前記第２の通信システムのそれぞれの通信エリア区分とは、それぞれの通信システムにおける呼出ゾーンである請求項１から請求項８のいずれか１項に記載の無線端末装置。
【請求項１０】
互いに重畳して敷設される複数の通信システムを選択的に切り替えて通信を行う無線端末装置の通信方法であって、
第１の通信システムに位置登録されている状態で所定の通信が生じて、前記第１の通信システムから第２の通信システムへ前記所定の通信が転送される際、転送指示の信号を前記第１の通信システムにて受信する指示受信ステップと、
前記指示受信ステップにおいて前記転送指示の信号が受信された場合、前記第２の通信システムを捕捉し、当該第２の通信システムによって、前記転送指示された前記所定の通信の開始を要求する通信要求ステップと、
前記所定の通信の開始を要求した後、前記所定の通信の開始の要求に対する許可信号を前記第２の通信システムにて受信すると、当該所定の通信を前記第２の通信システムで行う通信処理ステップと、
前記所定の通信の開始を要求した後、前記許可信号を前記第２の通信システムにて受信できなかった場合、当該許可信号を受信できなかったときの前記第２の通信システムにおける通信エリア区分の情報と、前記転送指示の信号を受信したときの前記第１の通信システムにおける通信エリア区分の情報との組合せを記憶する記憶ステップと、を含み、
前記通信要求ステップにおいて、前記指示受信ステップで新たな転送指示の信号を前記第１の通信システムにて受信して新たに前記第２の通信システムを捕捉したときの前記第２の通信システムにおける通信エリア区分の情報と、前記新たな転送指示の信号を受信したときの前記第１の通信システムにおける通信エリア区分の情報との組合せが、前記記憶ステップで記憶されている組合せに一致した場合、新たに捕捉した第２の通信システムの通信エリア区分において新たに位置登録を行った後、当該第２の通信システムへ前記転送指示された通信の開始を要求する通信方法。
【請求項１１】
互いに重畳して敷設される複数の通信システムを選択的に切り替えて無線端末装置に通信を行わせるための通信プログラムであって、
第１の通信システムに位置登録されている状態で所定の通信が生じて、前記第１の通信システムから第２の通信システムへ前記所定の通信が転送される際、転送指示の信号を前記第１の通信システムにて受信する指示受信ステップと、
前記指示受信ステップにおいて前記転送指示の信号が受信された場合、前記第２の通信システムを捕捉し、当該第２の通信システムによって、前記転送指示された前記所定の通信の開始を要求する通信要求ステップと、
前記所定の通信の開始を要求した後、前記所定の通信の開始の要求に対する許可信号を前記第２の通信システムにて受信すると、当該所定の通信を前記第２の通信システムで行う通信処理ステップと、
前記所定の通信の開始を要求した後、前記許可信号を前記第２の通信システムにて受信できなかった場合、当該許可信号を受信できなかったときの前記第２の通信システムにおける通信エリア区分の情報と、前記転送指示の信号を受信したときの前記第１の通信システムにおける通信エリア区分の情報との組合せを記憶する記憶ステップと、を実行させ、
前記通信要求ステップにおいて、前記指示受信ステップで新たな転送指示の信号を前記第１の通信システムにて受信して新たに前記第２の通信システムを捕捉したときの前記第２の通信システムにおける通信エリア区分の情報と、前記新たな転送指示の信号を受信したときの前記第１の通信システムにおける通信エリア区分の情報との組合せが、前記記憶ステップで記憶されている組合せに一致した場合、新たに捕捉した第２の通信システムの通信エリア区分において新たに位置登録を行った後、当該第２の通信システムへ前記転送指示された通信の開始を要求させるための通信プログラム。
【発明の詳細な説明】
【技術分野】
【０００１】
本発明は、複数の通信システムを選択的に切り替えて通信を行う無線端末装置、通信方法及び通信プログラムに関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、現状、ＬＴＥ通信システムは、データ通信のみをサポートするシステムであり、音声着信を受ける場合には、既存のＣＤＭＡ通信システムで受ける必要がある。また、ＬＴＥ通信システムとＣＤＭＡ通信システムとでアンテナを各々搭載して、同時に待ち受けすることは可能ではあるが、端末コストの低減、及び連続待ち受け時間の長時間化の観点から望ましくない。そこで、３ＧＰＰ  ＴＳ  ２３．２７２において、ＣＳ  Ｆａｌｌｂａｃｋ機能が規定され、この機能により、ＬＴＥ通信システムでＣＤＭＡ通信システムからの着信要求を通知することができる（例えば、非特許文献１参照）。
【先行技術文献】
【非特許文献】
【０００４】
【非特許文献１】３ＧＰＰ  ＴＳ  ２３．２７２  Ｖ１０．３．１，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１１−０４
【発明の概要】
【発明が解決しようとする課題】
【０００５】
しかしながら、ＣＳ  Ｆａｌｌｂａｃｋ機能に基づいて、複数の通信システムを切り替える場合、単一の通信システムのみで通信を行う場合に比べて、切り替えに掛かる処理時間あるいは処理負荷の増大に起因して不都合が生じる場合があった。
【０００６】
本発明は、通信システムの切り替えに関する不都合を回避し、通信をより快適に行える無線端末装置、通信方法及び通信プログラムを提供することを目的とする。
【課題を解決するための手段】
【０００７】
本発明に係る無線端末装置は、互いに重畳して敷設される複数の通信システムを選択的に切り替えて通信を行う無線端末装置であって、第１の通信システムに位置登録されている状態で所定の通信が生じて、前記第１の通信システムから第２の通信システムへ前記所定の通信が転送される際、転送指示の信号を前記第１の通信システムにて受信する指示受信部と、前記指示受信部により前記転送指示の信号が受信された場合、前記第２の通信システムを捕捉し、当該第２の通信システムによって、前記転送指示された前記所定の通信の開始を要求する通信要求部と、前記所定の通信の開始を要求した後、前記所定の通信の開始の要求に対する許可信号を前記第２の通信システムにて受信すると、当該所定の通信を前記第２の通信システムで行う通信処理部と、前記所定の通信の開始を要求した後、前記許可信号を前記第２の通信システムにて受信できなかった場合、当該許可信号を受信できなかったときの前記第２の通信システムにおける通信エリア区分の情報と、前記転送指示の信号を受信したときの前記第１の通信システムにおける通信エリア区分の情報との組合せを記憶する記憶部と、を備え、前記通信要求部は、前記指示受信部により新たな転送指示の信号を前記第１の通信システムにて受信して新たに前記第２の通信システムを捕捉したときの前記第２の通信システムにおける通信エリア区分の情報と、前記新たな転送指示の信号を受信したときの前記第１の通信システムにおける通信エリア区分の情報との組合せが、前記記憶部に記憶されている組合せに一致した場合、新たに捕捉した第２の通信システムの通信エリア区分において新たに位置登録を行った後、当該第２の通信システムへ前記転送指示された通信の開始を要求する。
【０００８】
また、前記所定の通信は、前記第１の通信システムにおいてサポートされておらず、前記第２の通信システムにおいてサポートされている種類の通信であることが好ましい。
【０００９】
また、前記第１の通信システムは、ＬＴＥ方式であり、前記第２の通信システムは、ＣＤＭＡ方式であって、前記所定の通信に関する転送指示は、３ＧＰＰ  ＴＳ  ２３．２７２において規定されるＣＳ−Ｆａｌｌｂａｃｋ機能に準拠していることが好ましい。
【００１０】
また、前記所定の通信は、音声着信あるいはＳＭＳ着信の通知に基づく通信であることが好ましい。
【００１１】
また、前記所定の通信は、音声発信あるいはＳＭＳ発信の要求に基づく通信であることが好ましい。
【００１２】
また、前記指示受信部は、前記第１の通信システムと前記第２の通信システムとのそれぞれの通信エリア区分同士の重畳関係を把握している前記第１の通信システムの制御装置から、前記転送指示の信号を受信することが好ましい。
【００１３】
また、本発明に係る無線端末装置は、前記記憶部に記憶される組合せを、外部のサーバから取得する取得部を備えることが好ましい。
【００１４】
また、本発明に係る無線端末装置は、前記記憶部に記憶された組合せを、前記サーバへ送信する送信部を備えることが好ましい。
【００１５】
また、前記第１の通信システム及び前記第２の通信システムのそれぞれの通信エリア区分とは、それぞれの通信システムにおける呼出ゾーンであることが好ましい。
【００１６】
本発明に係る通信方法は、互いに重畳して敷設される複数の通信システムを選択的に切り替えて通信を行う無線端末装置の通信方法であって、第１の通信システムに位置登録されている状態で所定の通信が生じて、前記第１の通信システムから第２の通信システムへ前記所定の通信が転送される際、転送指示の信号を前記第１の通信システムにて受信する指示受信ステップと、前記指示受信ステップにおいて前記転送指示の信号が受信された場合、前記第２の通信システムを捕捉し、当該第２の通信システムによって、前記転送指示された前記所定の通信の開始を要求する通信要求ステップと、前記所定の通信の開始を要求した後、前記所定の通信の開始の要求に対する許可信号を前記第２の通信システムにて受信すると、当該所定の通信を前記第２の通信システムで行う通信処理ステップと、前記所定の通信の開始を要求した後、前記許可信号を前記第２の通信システムにて受信できなかった場合、当該許可信号を受信できなかったときの前記第２の通信システムにおける通信エリア区分の情報と、前記転送指示の信号を受信したときの前記第１の通信システムにおける通信エリア区分の情報との組合せを記憶する記憶ステップと、を含み、前記通信要求ステップにおいて、前記指示受信ステップで新たな転送指示の信号を前記第１の通信システムにて受信して新たに前記第２の通信システムを捕捉したときの前記第２の通信システムにおける通信エリア区分の情報と、前記新たな転送指示の信号を受信したときの前記第１の通信システムにおける通信エリア区分の情報との組合せが、前記記憶ステップで記憶されている組合せに一致した場合、新たに捕捉した第２の通信システムの通信エリア区分において新たに位置登録を行った後、当該第２の通信システムへ前記転送指示された通信の開始を要求する。
【００１７】
本発明に係る通信プログラムは、互いに重畳して敷設される複数の通信システムを選択的に切り替えて無線端末装置に通信を行わせるための通信プログラムであって、第１の通信システムに位置登録されている状態で所定の通信が生じて、前記第１の通信システムから第２の通信システムへ前記所定の通信が転送される際、転送指示の信号を前記第１の通信システムにて受信する指示受信ステップと、前記指示受信ステップにおいて前記転送指示の信号が受信された場合、前記第２の通信システムを捕捉し、当該第２の通信システムによって、前記転送指示された前記所定の通信の開始を要求する通信要求ステップと、前記所定の通信の開始を要求した後、前記所定の通信の開始の要求に対する許可信号を前記第２の通信システムにて受信すると、当該所定の通信を前記第２の通信システムで行う通信処理ステップと、前記所定の通信の開始を要求した後、前記許可信号を前記第２の通信システムにて受信できなかった場合、当該許可信号を受信できなかったときの前記第２の通信システムにおける通信エリア区分の情報と、前記転送指示の信号を受信したときの前記第１の通信システムにおける通信エリア区分の情報との組合せを記憶する記憶ステップと、を実行させ、前記通信要求ステップにおいて、前記指示受信ステップで新たな転送指示の信号を前記第１の通信システムにて受信して新たに前記第２の通信システムを捕捉したときの前記第２の通信システムにおける通信エリア区分の情報と、前記新たな転送指示の信号を受信したときの前記第１の通信システムにおける通信エリア区分の情報との組合せが、前記記憶ステップで記憶されている組合せに一致した場合、新たに捕捉した第２の通信システムの通信エリア区分において新たに位置登録を行った後、当該第２の通信システムへ前記転送指示された通信の開始を要求させる。
【発明の効果】
【００１８】
本発明によれば、無線端末装置は、通信システムの切り替えに関する不都合を回避し、通信をより快適に行える。
【図面の簡単な説明】
【００１９】
【図１】本発明の実施形態に係る携帯電話機の外観斜視図である。
【図２】本発明の実施形態に係る携帯電話機の機能を示すブロック図である。
【図３】本発明の実施形態に係る連携位置登録の手順を示す図である。
【図４】本発明の実施形態に係る携帯電話機がマッピングデータと異なる呼出ゾーンへハンドオーバした場合の一例を示す図である。
【図５】本発明の実施形態に係る携帯電話機において、ハンドオーバ先の呼出ゾーンがマッピングデータと一致している場合の処理を示すシーケンス図である。
【図６】本発明の実施形態に係る携帯電話機において、ハンドオーバ先の呼出ゾーンがマッピングデータと異なり、かつ、呼出ゾーンの組合せが拒否リストに登録されていない場合の処理を示すシーケンス図である。
【図７】本発明の実施形態に係る携帯電話機において、ハンドオーバ先の呼出ゾーンがマッピングデータと異なり、かつ、呼出ゾーンの組合せが拒否リストに登録されている場合の処理を示すシーケンス図である。
【発明を実施するための形態】
【００２０】
以下、本発明の好適な実施形態の一例について説明する。なお、本実施形態では、無線端末装置の一例として携帯電話機１を説明する。
【００２１】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式、重ね合せ方向に沿う軸線を中心に一方の筐体を回転させるようにした回転式（ターンタイプ）、あるいは操作部と表示部とが１つの筐体に配置され、連結部を有さない形式（ストレートタイプ）でもよい。
【００２２】
携帯電話機１は、操作部側筐体２と、表示部側筐体３と、を備えて構成される。操作部側筐体２は、表面部１０に、操作部１１と、携帯電話機１の使用者が通話時あるいは音声認識アプリケーションを利用時に発した音声が入力されるマイク１２と、を備えて構成される。操作部１１は、各種設定機能、電話帳機能あるいはメール機能等の各種機能を作動させるための機能設定操作ボタン１３と、電話番号の数字又はメールの文字等を入力するための入力操作ボタン１４と、各種操作における決定及びスクロール等を行う決定操作ボタン１５と、を含んで構成されている。
【００２３】
また、表示部側筐体３は、表面部２０に、各種情報を表示するための表示部２１と、通話の相手側の音声を出力するレシーバ２２と、を備えて構成されている。
【００２４】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２５】
図２は、本実施形態に係る携帯電話機１の機能を示すブロック図である。
携帯電話機１は、操作部１１と、表示部２１と、制御部３０と、通信部４０と、記憶部５０と、音声制御部６０とを備える。
【００２６】
制御部３０は、携帯電話機１の全体を制御しており、例えば、表示部２１、通信部４０等の各部に対して所定の制御を行う。また、制御部３０は、操作部１１あるいは通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２７】
通信部４０は、所定の使用周波数帯（例えば、２ＧＨｚ帯あるいは８００ＭＨｚ帯等）で外部装置（ＬＴＥ通信システムの基地局１００又はＣＤＭＡ通信システムの基地局２００）と通信を行う。そして、通信部４０は、アンテナより受信した信号を復調処理し、処理後の信号を制御部３０に供給し、また、制御部３０から供給された信号を変調処理し、アンテナから外部装置に送信する。
【００２８】
ここで、通信部４０は、本実施形態においては、音声及びデータ通信用の通信プロトコルであるＷ−ＣＤＭＡあるいはＣＤＭＡ２０００＿１ｘ（以下、ＣＤＭＡという）と、主に高速データ通信に用いられる通信プロトコルであるＬＴＥとの双方に対応しており、いずれのプロトコルの通信システムでも通信可能である。通信部４０は、制御部３０からの指令に基づいて、互いに重畳して通信エリアが敷設される複数の通信システムを選択的に切り替えて、いずれかのプロトコルにより基地局と通信を行う。なお、携帯電話機１は、データ通信時にはＬＴＥ方式によるＬＴＥ通信システム（第１の通信システム）での通信を優先し、音声通話あるいはＳＭＳの送受信時には、ＣＤＭＡ方式によるＣＤＭＡ通信システム（第２の通信システム）での通信へ切り替えるものとする。
【００２９】
記憶部５０は、例えば、ワーキングメモリを含み、制御部３０による演算処理に利用される。また、本実施形態に係る各種プログラム等を記憶する。さらに、記憶部５０は、後述するＬＴＥ通信システムにおける呼出ゾーン（通信エリア区分）の情報とＣＤＭＡ通信システムにおける呼出ゾーンとの組合せからなる拒否リストを記憶する。
【００３０】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナより出力する。
【００３１】
次に制御部３０の機能を詳述する。
携帯電話機１と各通信システムの制御装置とは、ＬＴＥ通信システムからＣＤＭＡ通信システムへ通信を転送するために、ＣＳ  Ｆａｌｌｂａｃｋ機能を有している。そこで、ＬＴＥ通信システムの制御装置であるＭＭＥ（Ｍｏｂｉｌｉｔｙ  Ｍａｎａｇｅｍｅｎｔ  Ｅｎｔｉｔｙ）は、ＬＴＥ通信システムとＣＤＭＡ通信システムとの物理的な呼出ゾーンの重なりの対応関係を示すマッピングデータを記憶している。
【００３２】
ここで、ＣＳ  Ｆａｌｌｂａｃｋ機能を実現するためには、ＬＴＥ通信システムで待ち受け中の携帯電話機１がＣＤＭＡ通信システムにおいて物理的にどの呼出ゾーンにあるかを知る必要がある。このため、携帯電話機１がＬＴＥ通信システムで位置登録要求を行った際に、ＬＴＥ通信システムのＭＭＥは、ＬＴＥ通信システムの呼出ゾーンと重なるエリアを有するＣＤＭＡ通信システムの呼出ゾーンに対して位置登録（連携位置登録）の要求を行う。このとき、ＬＴＥ通信システムの呼出ゾーンがＣＤＭＡ通信システムのどの呼出ゾーンと重畳関係にあるかは、予め用意されているマッピングデータから取得される。ＣＤＭＡ通信システムの制御装置であるＭＳＣ（Ｍｏｂｉｌｅ  Ｓｗｉｔｃｈｉｎｇ  Ｃｅｎｔｅｒ）／ＶＬＲ（Ｖｉｓｉｔｅｄ  Ｌｏｃａｔｉｏｎ  Ｒｅｇｉｓｔｅｒ）は、ＬＴＥ通信システムから位置登録の要求を受信すると、位置登録情報を更新し、ＬＴＥ通信システムへ応答を返信する。
【００３３】
図３は、本実施形態に係る連携位置登録の手順を示す図である。
ＬＴＥ通信システムの制御装置であるＭＭＥは、３つの呼出ゾーン（ＴＡ１、ＴＡ２、ＴＡ３）を管理している。また、ＣＤＭＡ通信システムの制御装置であるＭＳＣ／ＶＬＲ＃１と、ＭＳＣ／ＶＬＲ＃２とは、それぞれ呼出ゾーンＬＡ１とＬＡ２とを管理している。
【００３４】
そして、ＭＭＥは、マッピングデータとして、ＴＡ１とＬＡ１との対応関係、並びにＴＡ２及びＴＡ３とＬＡ２との対応関係をマッピング表に記憶している。
【００３５】
まず、ＬＴＥ通信システムの呼出ゾーンＴＡ３に位置している携帯電話機１の制御部３０がＭＭＥに対して位置登録処理を行う（１）。すると、ＭＭＥは、マッピング表から、呼出ゾーンＴＡ３と物理的に重なっているＣＤＭＡ通信システムの呼出ゾーンＬＡ２を割り出す（２）。そして、ＭＭＥは、呼出ゾーンＬＡ２を管理しているＭＳＣ／ＶＬＲ＃２に対して連携位置登録の要求を行う（３）。この要求を受けたＭＳＣ／ＶＬＲ＃２は、位置登録処理を行い、携帯電話機１がＬＴＥ通信システムの呼出ゾーンＴＡ３に位置していることを記憶する。
【００３６】
この連携位置登録がされたことにより、ＣＤＭＡ通信システムでの着信がＭＳＣ／ＶＬＲ＃２に通知され、さらに、ＭＳＣ／ＶＬＲ＃２からＭＭＥに対して着信通知が行われる。
【００３７】
また、携帯電話機１の制御部３０は、指示受信部３１と、通信要求部３２と、通信処理部３３とを備える。
【００３８】
指示受信部３１は、音声着信あるいは音声発信が生じた場合等に、ＬＴＥ通信システムからＣＤＭＡ通信システムへ通信が転送される際、ＣＳ  Ｆａｌｌｂａｃｋ機能により、ＬＴＥ通信システムから転送指示、すなわちＣＤＭＡ通信システムへのハンドオーバ指示の信号を受信する。なお、指示受信部３１は、音声通信だけではなく、音声通信と部分的に共通する発信・着信シーケンスを利用するＳＭＳ（ショートメッセージサービス）の着信あるいは発信が生じた場合についても同様に、ＣＳ  Ｆａｌｌｂａｃｋ機能により、ＬＴＥ通信システムから転送指示、すなわちＣＤＭＡ通信システムへのハンドオーバ指示の信号を受信する。
【００３９】
通信要求部３２は、指示受信部３１によりハンドオーバ指示の信号が受信された場合、ＣＤＭＡ通信システムを捕捉し、捕捉したＣＤＭＡ通信システムへ転送指示された通信の開始を要求する。
【００４０】
このように、通信要求部３２は、例えば、着信通知に応じて、ＬＴＥ通信システムからＣＤＭＡ通信システムへハンドオーバして応答処理を行うが、呼出ゾーンの実際の重なりがマッピングデータで示される１対１の関係でない場合、必ずしもマッピングデータと一致する呼出ゾーンへハンドオーバするとは限らない。
【００４１】
図４は、本実施形態に係る携帯電話機１がマッピングデータと異なる呼出ゾーンへハンドオーバした場合の一例を示す図である。
【００４２】
この例では、携帯電話機１は、ＬＴＥ通信システムの呼出ゾーンＴＡ２に位置登録されており、マッピング表に従って、対応するＣＤＭＡ通信システムの呼出ゾーンＬＡ１にも連携位置登録されている。
【００４３】
このとき、携帯電話機１が物理的に呼出ゾーンＬＡ２と重なる場所に位置していると、呼出ゾーンＬＡ１に通知された着信に応じてＣＳ  Ｆａｌｌｂａｃｋ機能によりＣＤＭＡ通信システムへハンドオーバした場合、呼出ゾーンＬＡ２と同期することとなる。すると、連携位置登録されている呼出ゾーンＬＡ１（ＭＳＣ／ＶＬＲ＃１）と異なるため、ＭＳＣ／ＶＬＲ＃２は、着信応答に対して着信拒否を通知する。そこで、携帯電話機１の制御部３０は、新たに呼出ゾーンＬＡ２に対して位置登録処理を行った後、再度、着信応答を行う。
【００４４】
ところで、通信要求部３２は、捕捉したＣＤＭＡ通信システムの呼出ゾーンの情報と、ハンドオーバ指示の信号を受信したときのＬＴＥ通信システムにおける呼出ゾーンの情報との組合せが記憶部５０の拒否リストに記憶されている場合、捕捉したＣＤＭＡ通信システムに対して新たに位置登録を行った後、このＣＤＭＡ通信システムへ通信の開始を要求する。
【００４５】
ここで、拒否リストは、通信要求部３２により通信の開始が要求された後、許可信号を受信できなかった場合に更新される。すなわち、拒否リストには、この許可信号を受信できなかったＣＤＭＡ通信システムにおける呼出ゾーンの情報と、ハンドオーバ指示の信号を受信したときのＬＴＥ通信システムにおける呼出ゾーンの情報との組合せが記憶される。
【００４６】
通信処理部３３は、通信要求部３２により通信の開始が要求された後、この通信の許可信号を受信すると、通信部４０を介して、転送指示された通信をＣＤＭＡ通信システムで行う。
【００４７】
図５は、本実施形態に係る携帯電話機１において、音声あるいはＳＭＳの着信時に、ハンドオーバ先の呼出ゾーンがマッピングデータと一致している場合の処理を示すシーケンス図である。
なお、携帯電話機１は、図４のように呼出ゾーンが重畳された環境において、ＬＴＥ通信システムにおける呼出ゾーンＴＡ２及びＣＤＭＡ通信システムにおける呼出ゾーンＬＡ１の地点で通信の待ち受け状態にあるものとする。
【００４８】
ステップＳ１において、携帯電話機１の位置登録先である呼出ゾーンＬＡ１を管理しているＭＳＣ／ＶＬＲ＃１は、発信元のＭＳＣから着信の通知を受信する。
【００４９】
ステップＳ２において、ＭＳＣ／ＶＬＲ＃１は、マッピングデータにより対応付けられている呼出ゾーンＴＡ２を管理しているＭＭＥへ一斉呼出を行う。
【００５０】
ステップＳ３において、ＭＭＥは、呼出ゾーンＴＡ２内の携帯電話機１に対して一斉呼出を行う。
【００５１】
ステップＳ４において、一斉呼出を受信した携帯電話機１は、音声通話又はＳＭＳのＣＳサービスをＭＭＥに対して要求する。
【００５２】
ステップＳ５において、ＭＭＥは、携帯電話機１に対して、音声通話又はＳＭＳに対応したＣＤＭＡ通信システムへのハンドオーバを指示する。
【００５３】
ステップＳ６において、携帯電話機１は、ＣＤＭＡ通信システムを探索し、呼出ゾーンＬＡ１で捕捉した基地局へのハンドオーバを実行する。
【００５４】
ステップＳ７において、携帯電話機１は、ハンドオーバ指示を受信したときのＬＴＥ通信システムにおける呼出ゾーンＴＡ２と、ハンドオーバ先であるＣＤＭＡ通信システムにおける呼出ゾーンＬＡ１との組合せが、拒否リストに含まれているか否かを判定する。この例では、ハンドオーバ先の呼出ゾーンＬＡ１がマッピングデータと一致しているので、判定はＮＯとなる。
【００５５】
ステップＳ８において、携帯電話機１は、呼出ゾーンＬＡ１のＭＳＣ／ＶＬＲ＃１に対して、一斉呼出応答を送信する。そして、携帯電話機１及びＭＳＣ／ＶＬＲ＃１において、通常の音声又はＳＭＳの着信動作が実行される。
【００５６】
図６は、本実施形態に係る携帯電話機１において、音声又はＳＭＳの着信時に、ハンドオーバ先の呼出ゾーンがマッピングデータと異なり、かつ、呼出ゾーンの組合せが拒否リストに登録されていない場合の処理を示すシーケンス図である。
なお、携帯電話機１は、図４のように呼出ゾーンが重畳された環境において、ＬＴＥ通信システムにおける呼出ゾーンＴＡ２及びＣＤＭＡ通信システムにおける呼出ゾーンＬＡ２の地点で通信の待ち受け状態にあるものとする。
【００５７】
ステップＳ１〜Ｓ５において、携帯電話機１は、図５の例と同様に、連携位置登録先である呼出ゾーンＬＡ１のＭＳＣ／ＶＬＲ＃１及び呼出ゾーンＴＡ２のＭＭＥを介して、音声着信に応じた一斉呼出を受信すると、ＣＳサービスの要求に対してハンドオーバ指示を受信する。
【００５８】
ステップＳ６において、携帯電話機１は、ＣＤＭＡ通信システムを探索し、マッピングデータとは異なる呼出ゾーンＬＡ２で捕捉した基地局へのハンドオーバを実行する。
【００５９】
ステップＳ７において、携帯電話機１は、ハンドオーバ指示を受信したときのＬＴＥ通信システムにおける呼出ゾーンＴＡ２と、ハンドオーバ先であるＣＤＭＡ通信システムにおける呼出ゾーンＬＡ２との組合せが、拒否リストに含まれているか否かを判定する。この例では、ＴＡ２からＬＡ２へ初めてハンドオーバしており、拒否リストへ未登録の状態であるため、判定はＮＯとなる。
【００６０】
ステップＳ１１において、携帯電話機１は、呼出ゾーンＬＡ２のＭＳＣ／ＶＬＲ＃２に対して、一斉呼出応答を送信する。
【００６１】
ステップＳ１２において、ＭＳＣ／ＶＬＲ＃２は、一斉呼出の信号を送出していない携帯電話機１からのステップＳ１１での一斉呼出応答に対して、一斉呼出拒否を通知する。
【００６２】
ステップＳ１３において、携帯電話機１は、ステップＳ１２で一斉呼出拒否を受信したことに応じて、呼出ゾーンＴＡ２及び呼出ゾーンＬＡ２の組合せを、拒否リストへ追加して更新する。
【００６３】
ステップＳ１４において、携帯電話機１は、ＣＤＭＡ通信システムへのハンドオーバに失敗したと判断し、一旦通信の待ち受け状態に戻った後、再度、ＣＤＭＡ通信システムを探索し、呼出ゾーンＬＡ２で捕捉した基地局へのハンドオーバを実行する。
【００６４】
ステップＳ１５において、携帯電話機１は、ハンドオーバ先にて位置登録するために、ＭＳＣ／ＶＬＲ＃２へ位置登録要求を送信する。
【００６５】
ステップＳ１６において、ＭＳＣ／ＶＬＲ＃２は、加入者の登録情報を管理するＨＳＳ（Ｈｏｍｅ  Ｓｕｂｓｃｒｉｂｏｒ  Ｓｅｒｖｅｒ）に対して、位置登録を要求する。
【００６６】
ステップＳ１７において、ＨＳＳは、連携位置登録されていたＭＳＣ／ＶＬＲ＃１に対して指令して、呼出ゾーンＬＡ１における位置登録情報を削除する。
【００６７】
ステップＳ１８において、ＭＳＣ／ＶＬＲ＃１は、ステップＳ１７での位置登録情報の削除を契機として、発信元のＭＳＣに対して音声又はＳＭＳ着信の再送要求を送出する。
【００６８】
ステップＳ１９において、携帯電話機１の位置登録先である呼出ゾーンＬＡ２を管理しているＭＳＣ／ＶＬＲ＃２は、発信元のＭＳＣから音声着信の通知を受信する。
【００６９】
ステップＳ２０において、ＭＳＣ／ＶＬＲ＃２は、ステップＳ１５の位置登録要求に対する確認としての位置登録要求受付を携帯電話機１へ返信すると共に、音声又はＳＭＳ着信の一斉呼出を行う。
【００７０】
ステップＳ２１において、携帯電話機１は、呼出ゾーンＬＡ２のＭＳＣ／ＶＬＲ＃２に対して、一斉呼出応答を送信する。そして、携帯電話機１及びＭＳＣ／ＶＬＲ＃２において、通常の音声又はＳＭＳの着信動作が実行される。
【００７１】
図７は、本実施形態に係る携帯電話機１において、音声又はＳＭＳの着信時に、ハンドオーバ先の呼出ゾーンがマッピングデータと異なり、かつ、呼出ゾーンの組合せが拒否リストに登録されている場合の処理を示すシーケンス図である。
なお、携帯電話機１は、図４のように呼出ゾーンが重畳された環境において、ＬＴＥ通信システムにおける呼出ゾーンＴＡ２及びＣＤＭＡ通信システムにおける呼出ゾーンＬＡ２の地点で通信の待ち受け状態にあるものとする。
【００７２】
ステップＳ１〜Ｓ６において、携帯電話機１は、図６の例と同様に、連携位置登録先である呼出ゾーンＬＡ１のＭＳＣ／ＶＬＲ＃１及び呼出ゾーンＴＡ２のＭＭＥを介して、音声着信に応じた一斉呼出を受信すると、ＣＳサービスの要求に対してハンドオーバ指示を受信する。そして、携帯電話機１は、ＣＤＭＡ通信システムを探索し、マッピングデータとは異なる呼出ゾーンＬＡ２で捕捉した基地局へのハンドオーバを実行する。
【００７３】
ステップＳ７において、携帯電話機１は、ハンドオーバ指示を受信したときのＬＴＥ通信システムにおける呼出ゾーンＴＡ２と、ハンドオーバ先であるＣＤＭＡ通信システムにおける呼出ゾーンＬＡ２との組合せが、拒否リストに含まれているか否かを判定する。この例では、既にＴＡ２からＬＡ２へのハンドオーバを経験しており、呼出ゾーンの組合せが拒否リストに登録されているため、判定はＹＥＳとなる。
【００７４】
以下、ステップＳ１５〜Ｓ２１において、携帯電話機１は、図６の例と同様に、呼出ゾーンＬＡ２において位置登録を行った後、一斉呼出応答を送信し、携帯電話機１及びＭＳＣ／ＶＬＲ＃２において、通常の音声又はＳＭＳの着信動作が実行される。
【００７５】
この処理により、図６の例と比較して、ステップＳ１１〜Ｓ１４が省かれ、着信動作へ移行するまでの時間が短縮される。
【００７６】
以上のように、本実施形態によれば、携帯電話機１は、一斉呼出拒否を受けて呼出ゾーンの組合せを拒否リストに登録した後は、同一の組合せのハンドオーバが生じた場合に、不要な応答及び再探索の処理を省くことができる。したがって、携帯電話機１は、音声通話又はＳＭＳ受信に移行するまでの時間を短縮できる他、この間のリソースの浪費を抑制し、消費電力を低減することができる。この結果、通信システムの切り替えに関する不都合が回避され通信をより快適に行える。
【００７７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７８】
前述の実施形態では、音声着信通知あるいはＳＭＳ受信通知に基づく通信について例示したが、これには限られない。本発明は、音声発信要求（ＣＳサービス要求）あるいはＳＭＳ発信要求に基づく通信にも適用可能である。また、音声通信及びＳＭＳに限らず、第１の通信システムにおいてサポートされておらず、第２の通信システムにおいてサポートされている種類の通信であればよい。
【００７９】
また、第１の通信システムは、ＬＴＥ方式には限られず、音声発着信のルーチン、あるいはＳＭＳ送受信のルーチンを持たない通信方式であれば、例えば、ＷｉＭＡＸ方式等でもよく、ＣＳ  Ｆａｌｌｂａｃｋに相当する機能が実装可能であれば本発明は適用可能である。
【００８０】
また、携帯電話機１において記憶される拒否リストは、一斉呼出拒否が生じる呼出ゾーンの組合せを蓄積する所定のサーバから取得可能に構成されてもよい。携帯電話機１は、このサーバから拒否リストを取得する取得部を備えることにより、自身が未だ経験していない呼出ゾーンの組合せを記憶できるので、初めて位置登録する呼出ゾーンにおいても処理が効率化する。
【００８１】
さらに、携帯電話機１は、このサーバへ拒否リストを送信する送信部を備えることにより、サーバは、複数の端末から一斉呼出拒否が生じる呼出ゾーンの組合せを収集し、各端末へ提供できる。これにより、拒否リストが効率的に生成される。
【００８２】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００８３】
１  携帯電話機（無線端末装置）
１１  操作部
２１  表示部
３０  制御部
３１  指示受信部
３２  通信要求部
３３  通信処理部
４０  通信部
５０  記憶部
６０  音声制御部
【図１】
0005650597.tif 000002
【図２】
0005650597.tif 000003
【図３】
0005650597.tif 000004
【図４】
0005650597.tif 000005
【図５】
0005650597.tif 000006
【図６】
0005650597.tif 000007
【図７】
0005650597.tif 000008